(57)【要約】【課題】音声信号と共に動作信号を符号化する技術を提供する。【解決手段】音声信号と共に動作信号を符号化する方法。本方法は、動作信号を供給する段階、音声信号を供給する段階、音声信号と共に動作信号を符号化して同期化複合音声／動作信号を発生させる段階、及び同期化複合音声／動作信号を供給する段階を含む。【選択図】図３
2008539452.tif 000002
【特許請求の範囲】
【請求項１】
音声信号と共に動作信号を符号化する方法であって、
動作信号を供給する段階と、
音声信号を供給する段階と、
前記音声信号と共に前記動作信号を符号化し、同期化複合音声／動作信号を発生させる段階と、
前記同期化複合音声／動作信号を供給する段階と、
を含むことを特徴とする方法。
【請求項２】
前記音声信号と共に前記動作信号を符号化する前記段階は、符号化アルゴリズムを供給する段階と、該供給された符号化アルゴリズムに従って前記供給された動作信号を該音声信号に挿入する段階とを含むことを特徴とする請求項１に記載の方法。
【請求項３】
前記符号化アルゴリズムは、ＩＥＣ６１９３７規格に適合することを特徴とする請求項２に記載の方法。
【請求項４】
前記符号化アルゴリズムは、ＡＣ３及びＤＴＳの少なくとも一方を含むことを特徴とする請求項３に記載の方法。
【請求項５】
前記動作信号は、記憶媒体を用いて供給されることを特徴とする請求項１から請求項４のいずれか１項に記載の方法。
【請求項６】
前記記憶媒体は、ハードディスク、フラッシュメモリ、「コンパクトディスク」、「デジタルビデオディスク（ＤＶＤ）」から成る群から選択されることを特徴とする請求項５に記載の方法。
【請求項７】
前記同期化複合音声／動作信号は、ネットワーク上で供給されることを特徴とする請求項１から請求項６のいずれか１項に記載の方法。
【請求項８】
同期化複合音声／動作信号を供給するための装置であって、
動作信号を供給するための動作信号供給ユニットと、
音声信号を供給するための音声信号供給ユニットと、
前記供給された動作信号と前記音声信号を受信して、前記同期化複合音声／動作信号を発生させる同期化ユニットと、
を含むことを特徴とする装置。
【請求項９】
前記同期化ユニットは、符号化アルゴリズムを供給するための符号化アルゴリズム供給ユニットと、前記供給された動作信号、前記音声信号、及び該符号化アルゴリズムを受信して、該供給された符号化アルゴリズムに従って該供給された動作信号を該音声信号に挿入し、前記同期化複合音声／動作信号を供給する符号化ユニットとを含むことを特徴とする請求項８に記載の装置。
【請求項１０】
前記符号化アルゴリズムは、ＩＥＣ６１９３７規格に適合することを特徴とする請求項９に記載の装置。
【請求項１１】
前記符号化アルゴリズムは、ＡＣ３及びＤＴＳの少なくとも一方を含むことを特徴とする請求項１０に記載の装置。
【請求項１２】
前記動作信号供給ユニットは、前記動作信号を含む記憶媒体を含むことを特徴とする請求項８から請求項１１のいずれか１項に記載の装置。
【請求項１３】
前記記憶媒体は、ハードディスク、フラッシュメモリ、「コンパクトディスク」、「デジタルビデオディスク（ＤＶＤ）」から成る群から選択されることを特徴とする請求項１２に記載の装置。
【請求項１４】
前記音声信号供給ユニットは、生の音声信号及び符号化済み音声信号のうちの一方を供給することを特徴とする請求項８から請求項１３のいずれか１項に記載の装置。
【請求項１５】
前記符号化ユニットは、「デジタル信号プロセッサ（ＤＳＰ）」及び「フィールドプログラマブルゲートアレイ（ＦＰＧＡ）」のうちの一方を含むことを特徴とする請求項８から請求項１４のいずれか１項に記載の装置。
【請求項１６】
実行された時に請求項１から請求項７のいずれか１項に記載の方法を発生させる命令を記憶するようになったコンピュータ可読メモリ。
【発明の詳細な説明】
【技術分野】
【０００１】
本発明は、娯楽用動作装置の分野に関する。より詳細には、本発明は、音声信号と共に動作信号を符号化することに関する。
【背景技術】
【０００２】
動作信号は、動作を送出し、それによって音声信号トラック及び／又は映像トラックと好ましくは同期した往復移動を生成するようにアクチュエータを駆動するために使用される。残念なことに、従来技術の装置は、動作信号を記憶するための特定かつ専用の媒体を必要とする。
【０００３】
当業者は、これは、それが使用者に動作信号を記憶するための専用の媒体並びに音声／映像トラックの少なくとも一方を記憶するための専用の媒体を有することを要求するのでかなり厄介であることを認めるであろう。
【０００４】
更に、第１の所定の規格又はアルゴリズムを使用して符号化された音声／映像トラックを用いる使用者は、動作信号が第２の所定の規格又はアルゴリズムを使用して符号化された音声／映像トラックを使用してサポートされるように作成されたものである場合があるので、動作信号を記憶する媒体を使用できないかもしれないことは認められるであろう。こうした欠点は重要であり、どのような種類の規格がその音声／映像トラックを符号化するのに使用されているかを使用者が慎重に点検することが要求される。これは、従って、様々な規格又はアルゴリズムが音声／映像トラックを符号化するのに使用される市場での動作信号の広範な使用を事実上制限する。
【０００５】
同期化も問題になる場合があることが更に認められるであろう。
【０００６】
上記から考慮すれば、上述の欠点の少なくとも1つを克服することになる方法及び装置に対する必要性が存在する。
【０００７】
【非特許文献１】「ＡＳＴＣ規格：デジタル音声圧縮（ＡＣ３）、改訂Ａ、文書Ａ／５２Ａ（２００１年８月２０日）」、１７５０、Ｋ  Ｓｔｒｅｅｔ、Ｎ．Ｗ．、ｓｕｉｔｅ  １２００、ワシントンＤＣ２０００６、「Ａｄｖａｎｃｅｄ  Ｔｅｌｅｖｉｓｉｏｎ  Ｓｙｓｔｅｍｓ  Ｃｏｍｉｔｔｅｅ」
【発明の開示】
【０００８】
本発明の態様によれば、音声信号と共に動作信号を符号化する方法が提供される。本方法は、動作信号を供給する段階と、音声信号を供給する段階と、音声信号と共に動作信号を符号化し、同期化複合音声／動作信号を発生させる段階と、同期化複合音声／動作信号を供給する段階とを含む。
【０００９】
動作信号を供給するための動作信号供給ユニットと、音声信号を供給するための音声信号供給ユニットと、供給された動作信号と音声信号を受信して同期化複合音声／動作信号を発生させる同期化ユニットとを含む同期化複合音声／動作信号を供給するための装置。
【００１０】
本発明の更に別の特徴及び利点は、添付図面と合わせた時に以下の詳細説明から明白になるであろう。
【００１１】
添付図面全体を通じて、同じ特徴は、同じ参照番号で特定されていることに注意されたい。
【発明を実施するための最良の形態】
【００１２】
ここで図１を参照すると、音声信号と共に動作信号を符号化するための装置１０の実施形態が示されている。
【００１３】
より明確には、装置１０は、動作信号供給ユニット１２と、音声信号供給ユニット１４と、その一例が符号化アルゴリズム供給ユニット１６と符号化ユニット１８とを含む同期化ユニットと、かつ最後に複合音声／動作信号供給ユニット２０とを含む。
【００１４】
動作信号供給ユニット１２は、動作信号を供給するようになっている。動作信号は、使用者への往復移動を提供するために複数のアクチュエータによって使用することができることは当業者により認められるであろう。
【００１５】
実施形態では、動作信号供給ユニット１２は、所定の映像信号の対応する音声信号で再生されるようにプログラムされた動作信号を含む記憶媒体を含む。実施形態では、動作信号供給ユニットの記憶媒体は、ハードディスク、ＣＤ、ＤＶＤなどとすることができる。
【００１６】
音声信号供給ユニット１４は、動作信号が一緒に再生される音声信号を供給するようになっている。図１には示されないが、音声信号は、映像信号と同期化することができることは当業者によって認められるであろう。音声信号供給ユニットは、既に符号化された音声信号のみならず符号化されていない音声信号（すなわち、未処理音声信号）も供給することができることを更に認めることができるであろう。実施形態では、音声信号供給ユニットは、ハードディスク、ＣＤ、ＤＶＤなどのような記憶媒体上にある音声ファイルである。
【００１７】
符号化アルゴリズム供給ユニット１６は、音声信号と共に動作を符号化するための符号化アルゴリズムを供給するようになっている。符号化アルゴリズムは、複合音声／動作信号内への動作信号の挿入を可能にし、かつ再生の時のその抽出を可能にするあらゆるアルゴリズムとすることができる。音声／動作複合信号を表すために必要なビットの数を低減するためのものであり、一方、そのビットレート減少の使用者の感覚に対する検知性をできるだけ少なくする音声／動作複合信号の圧縮を更に供給するアルゴリズムは、適用されてもされなくてもよい。
【００１８】
符号化ユニット１８は、動作信号、音声信号、及び符号化アルゴリズムを受信するようになっている。符号化ユニット１８は、更に、符号化アルゴリズムに従って音声信号内に動作信号を符号化して符号化音声信号を発生させるようになっている。符号化ユニット１８がそのようなタスクを行うのに適切なあらゆる処理ユニットとすることができるのは当業者によって認められるであろう。実施形態では、符号化ユニット１８は、コンピュータ上で実行されるアプリケーションである。代替的に、符号化ユニット１８は、ハードウエア／ファームウエア内（例えば、ＤＳＰ（デジタル信号プロセッサ）内又はＦＰＧＡ（フィールドプログラマブルゲートアレイ）内のような）で実施される。
【００１９】
複合音声／動作信号供給ユニット２０は、使用者に複合音声／動作信号を供給するようになっている。より明確には、複合音声／動作信号供給ユニット２０は、メモリ、「ＤＶＤ  ＲＯＭ」又は「ＣＤ  ＲＯＭ」のようなデータを記憶するための記憶媒体、又は複合音声／動作信号を複数の使用者に送信する通信ユニットなどのうちのいずれか１つとすることができる。
【００２０】
実施形態では、複合音声／動作信号供給ユニット２０は、複合音声／動作信号を発生させるために使用されるコンピュータ、ＤＶＤバーナー、ＤＶＤ製造プラントとすることができる。代替的に、複合音声／動作信号供給ユニット２０は、複数の使用者に複合音声／動作信号を供給するようになった通信ユニットとすることができる。例えば、通信ユニットは、テレビジョンネットワークのような無線ネットワーク、又はローカルエリアネットワーク（ＬＡＮ）、メトロポリタンエリアネットワーク（ＭＡＮ）又は「インターネット」のような広域ネットワーク（ＷＡＮ）のような有線ネットワークとすることができるネットワーク上で複合音声／動作信号を供給するように適応させることができることは認められるであろう。
【００２１】
より明確には、動作信号供給ユニット１２は、符号化ユニット１８に動作信号を供給する。音声信号供給ユニット１４は、符号化１８に音声信号を供給し、符号化アルゴリズムユニット１６は、符号化ユニット１８に符号化アルゴリズムを供給する。
【００２２】
符号化ユニット１８は、供給された符号化アルゴリズムに従ってビットストリーム音声信号と共に動作信号を符号化する。得られる複合音声／動作信号は、符号化ユニット１８によって複合音声／動作信号供給ユニット２０に供給される。
【００２３】
ここで図２を参照すると、図１に示す装置１０の実施形態が示され、符号化ユニット１８は、処理ユニット２２を含む。明確にするために、メモリユニットのような一部の装置が図２に示されていないことを当業者は認めるであろう。
【００２４】
ここで図３を参照すると、実施形態による同期化複合音声／動作信号を供給する１つの方法の実施形態が示されている。
【００２５】
段階３０によれば、音声信号が供給される。音声信号は、音声信号供給ユニット１４によって供給される。
【００２６】
段階３２によれば、動作信号が供給される。動作信号は、動作信号供給ユニット１２によって供給される。
【００２７】
段階３４によれば、供給された動作信号は、供給された音声信号と共に符号化アルゴリズムを用いて符号化され、同期化複合音声／動作信号が供給される。実施形態では、符号化複合音声／動作信号は、ＤＶＤ上の音声ビットストリームを発生させるための既存規格に従って生成される。このようにして、複合音声／動作信号は、既存の市販ＤＶＤ再生機上に再生することができ、既存の再生機の有効なＳＰＤＩＦ出力で使用することができる。これは、使用者が彼の再生機を保持し続けることを可能にするので、当業者は、そのことが大きな利点であることを認めるであろう。使用者は、ＤＶＤ再生機の既存のＳＰＤＩＦ出力に接続される複合音声／動作信号復号器を追加すべきであるのみである。複合音声／動作信号復号器の出力は、次に、「Ｄ−Ｂｏｘ（登録商標）Ｋｉｎｅｔｒｏｎ（登録商標）」コントローラ（図示せず）のような動作コントローラに送信される。
【００２８】
別の実施形態（図示せず）では、複合音声／動作信号復号器及び動作コントローラは、ハードウエア、ソフトウエア、又はファームウエアの形態でＤＶＤ再生機内に組み込まれる。このようにして、別々の動作コントローラを必要としないであろう。
【００２９】
実施形態では、この符号化は、符号化ユニット１８によって行われる。
【００３０】
段階３６によれば、同期化複合音声／動作信号が供給される。同期化複合音声／動作信号は、複合音声／動作信号供給ユニット２０に供給される。
【００３１】
ここで図４を参照すると、動作信号が音声信号と共に符号化アルゴリズムを使用して符号化される１つの方法の実施形態が示されている。
【００３２】
段階４０によれば、符号化アルゴリズムが供給される。先に説明されているように、符号化アルゴリズムは、符号化アルゴリズム供給ユニット１６によって供給される。
【００３３】
こうした符号化アルゴリズムの例は、ＩＥＣ６１９３７に適合するものであり、「Ｄｏｌｂｙ（登録商標）」のＡＣ３規格及びＤＴＳ符号化アルゴリズムがその例である。ＡＣ３符号化アルゴリズムは、１７５０、Ｋ  Ｓｔｒｅｅｔ、Ｎ．Ｗ．、ｓｕｉｔｅ  １２００、ワシントンＤＣ２０００６所在の「Ａｄｖａｎｃｅｄ  Ｔｅｌｅｖｉｓｉｏｎ  Ｓｙｓｔｅｍｓ  Ｃｏｍｉｔｔｅｅ」から公開された「ＡＳＴＣ規格：デジタル音声圧縮（ＡＣ３）、改訂Ａ、文書Ａ／５２Ａ（２００１年８月２０日）」に更に説明されている。
【００３４】
段階４２によれば、供給された動作信号は、使用された符号化アルゴリズムに基づいて供給された音声信号内に挿入される。そのような挿入は、符号化ユニット１８を用いて行われる。
【００３５】
段階４４によれば、複合音声／動作信号が生成される。
【００３６】
複合音声／動作信号は、音声信号と共に動作信号を符号化するのに使用されたアルゴリズムに基づいて更に復号化することができることは当業者によって認められるべきである。
【００３７】
符号化が、符号化音声信号が動作信号と同期化するように行われることを当業者は更に認めるであろう。動作信号と同期化した符号化音声信号を供給することは、そのことが動作信号の好ましい同期化配信を可能にするので大きい利点であると考えられている。開示した方法の第１の利点は、それが、動作再生機が再生の前に動作信号を記憶すべきであることを排除することであり、その結果、そのメモリリソースが大きく低減されることであると考えられている。開示した方法の第２の利点は、それが、動作信号を音声信号に再同期化するために必要とされるコンピュータリソースを動作再生機が有することを免除し、その結果、動作信号のコンピュータリソースが大きく低減されることであると考えられている。
【００３８】
ブロック図内では、別々のデータ信号接続を通じて互いに通信する個別の構成要素の群として示しているが、本発明の実施形態は、ハードウエア及びソフトウエア構成要素の組合せによって提供され、一部の構成要素は、ハードウエア又はソフトウエアの所定の機能又は作動によって実施され、図示のデータ経路は、コンピュータアプリケーション又はオペレーティングシステム内のデータ通信によって実施されることは当業者によって認められるであろう。従って、図示の構造は、本発明の実施形態の教示を効率化するために提供されている。
【００３９】
本発明は、方法として実施することができ、システム、コンピュータ可読媒体、又は電気又は電磁信号に具体化することができることに注意すべきである。
【００４０】
本発明の上述の実施形態は、単なる例示を目的としたものである。従って、本発明の範囲は、特許請求の範囲によってのみ限定されるものとする。
【図面の簡単な説明】
【００４１】
【図１】動作信号供給ユニット、音声信号供給ユニット、符号化アルゴリズム供給ユニット、符号化ユニット、及び符号化ビットストリーム信号供給ユニットを含む本発明の実施形態による音声信号と共に動作信号を符号化するための装置の実施形態を示すブロック図である。
【図２】本発明の実施形態による符号化ユニットの実施形態を示すブロック図である。
【図３】１つの段階により動作信号が符号化アルゴリズムを用いて符号化されて同期化複合音声／動作信号を供給する、本発明の実施形態により同期化複合音声／動作信号が供給される方法を示す流れ図である。
【図４】動作信号が符号化アルゴリズムを用いて符号化されて同期化複合音声／動作信号が供給される方法を示す流れ図である。
【符号の説明】
【００４２】
３０  段階
３２  段階
【図１】
2008539452.tif 000003
【図２】
2008539452.tif 000004
【図３】
2008539452.tif 000005
【図４】
2008539452.tif 000006
【国際調査報告】
2008539452.tif 000007
2008539452.tif 000008
2008539452.tif 000009
2008539452.tif 000010